(57)【特許請求の範囲】
【請求項１】
無線周波数識別（ＲＦＩＤ）タグで実行される方法であって、
ＲＦＩＤリーダからスリープコマンドを受信すること、
前記スリープコマンドの受信に応答して、前記ＲＦＩＤタグを、前記ＲＦＩＤリーダからのコマンドに応答するように設定された標準状態から、前記ＲＦＩＤリーダからのアウェイクコマンドにのみ応答するように設定された休止状態に変更すること、
前記ＲＦＩＤタグが前記休止状態にある間に、前記ＲＦＩＤリーダから前記アウェイクコマンドと休止キーを受信すること、
前記休止キーにより前記アウェイクコマンドを処理することにより、前記ＲＦＩＤタグを前記休止状態から前記標準状態に変更すること、を備え、前記アウェイクコマンドを処理することは、前記ＲＦＩＤタグの前記休止状態を前記標準状態に変更する前に前記休止キーを照合すること、
前記スリープコマンドの受信に応答して前記休止キーを生成すること、
前記ＲＦＩＤタグの前記標準状態を前記休止状態に変更する前に前記ＲＦＩＤリーダに前記休止キーを送信すること、を備える方法。
【請求項２】
前記コマンドの処理が可能か否かを判定するために用いるアクセスパスワードを受信すること、
前記アクセスパスワードが有効であるか否かを判定すること、
をさらに備え、
前記休止状態に変更することは、前記アクセスパスワードが有効である場合にのみ前記休止状態に変更することを含む、請求項１に記載の方法。
【請求項３】
前記ＲＦＩＤタグが前記休止状態にある間、前記アウェイクコマンドを除き、前記ＲＦＩＤリーダから受信するコマンドを無視することをさらに備える請求項１に記載の方法。
【請求項４】
前記ＲＦＩＤタグのメモリに記憶する情報を前記ＲＦＩＤリーダから受信すること、
前記ＲＦＩＤリーダから受信した前記情報を前記ＲＦＩＤタグの前記メモリに記憶すること、をさらに備える請求項１に記載の方法。
【請求項５】
前記ＲＦＩＤリーダから前記休止キーを受信すること、
前記アウェイクコマンドを処理するために用いる前記休止キーを前記ＲＦＩＤリーダのメモリに記憶すること、をさらに備える請求項１に記載の方法。
【請求項６】
前記アウェイクコマンドを受信した後、前記ＲＦＩＤリーダから更なるスリープコマンドを受信すること、
前記更なるスリープコマンドの受信に応答して、前記ＲＦＩＤタグを前記標準状態から前記休止状態に変更すること、をさらに備える請求項１に記載の方法。
【請求項７】
無線周波数識別（ＲＦＩＤ）タグであって、
処理システムと、
実行可能命令を含むメモリと、を備え、
前記実行可能命令は、前記処理システムによって実行されることにより、
ＲＦＩＤリーダからのコマンドに応答するように設定された標準状態に前記ＲＦＩＤタグがある間に前記ＲＦＩＤリーダからスリープコマンドを受信し、
前記スリープコマンドの受信に応答して、前記ＲＦＩＤタグを、前記標準状態から、アウェイクコマンドにのみ応答するように設定された休止状態に変更し、
前記スリープコマンドの受信に応答して休止キーを生成し、
前記ＲＦＩＤタグの前記標準状態を前記休止状態に変更する前に前記ＲＦＩＤリーダに前記休止キーを送信するように前記処理システムを動作させる、ＲＦＩＤタグ。
【請求項８】
前記実行可能命令はさらに、
アクセスパスワードを受信し、
前記アクセスパスワードが有効か否かを判定し、
前記アクセスパスワードが有効である場合にのみ前記休止状態に変更する
ように前記処理システムを動作させる、請求項７に記載のＲＦＩＤタグ。
【請求項９】
前記実行可能命令はさらに、
前記ＲＦＩＤタグが前記休止状態にある間、前記アウェイクコマンドを除き、前記ＲＦＩＤリーダから受信するコマンドを無視するように前記処理システムを動作させる、請求項７に記載のＲＦＩＤタグ。
【請求項１０】
前記実行可能命令はさらに、
前記ＲＦＩＤタグに記憶する情報を前記ＲＦＩＤリーダから受信し、
受信した前記情報を前記メモリに記憶する
ように前記処理システムを動作させる、請求項７に記載のＲＦＩＤタグ。
【請求項１１】
前記実行可能命令はさらに、
前記ＲＦＩＤタグが前記休止状態にある間に、休止キーを含む前記アウェイクコマンドを前記ＲＦＩＤリーダから受信し、
前記休止キーにより前記アウェイクコマンドを処理することにより前記ＲＦＩＤタグの前記休止状態を前記標準状態に変更するように前記処理システムを動作させる、請求項７に記載のＲＦＩＤタグ。
【請求項１２】
前記アウェイクコマンドを処理することは、前記アウェイクコマンドに含まれている前記休止キーを、前記ＲＦＩＤタグの前記メモリに記憶されている休止キーと照合することを含む、請求項１１に記載のＲＦＩＤタグ。
【請求項１３】
前記実行可能命令はさらに、
前記休止状態に変更する前に、前記ＲＦＩＤリーダから休止キーを受信し、
前記アウェイクコマンドを処理するために用いる前記休止キーを前記ＲＦＩＤタグの前記メモリに記憶するように前記処理システムを動作させる、請求項１１に記載のＲＦＩＤタグ。
【請求項１４】
前記実行可能命令はさらに、
アクセスパスワードを受信し、
前記アクセスパスワードが有効か否かを判定し、
前記アクセスパスワードが有効である場合にのみ前記アウェイクコマンドを処理する
ように前記処理システムを動作させる、請求項１１に記載のＲＦＩＤタグ。
【請求項１５】
システムであって、
無線周波数識別（ＲＦＩＤ）リーダと、
処理システムと実行可能命令を含むメモリとを備えるＲＦＩＤタグと、を備え、
前記実行可能命令は、前記処理システムによって実行されることにより、
前記ＲＦＩＤタグが前記ＲＦＩＤリーダからのコマンドに応答可能な標準状態にある間に前記ＲＦＩＤリーダからスリープコマンドを受信し、
前記スリープコマンドの受信に応答して、前記ＲＦＩＤタグを、前記標準状態から、アウェイクコマンドにのみ応答可能な休止状態に変更し、
前記ＲＦＩＤタグが前記休止状態にある間に、休止キーを含む前記アウェイクコマンドを前記ＲＦＩＤリーダから受信し、
前記休止キーの照合に応じて前記ＲＦＩＤタグを前記休止状態から前記標準状態に変更し、
前記スリープコマンドの受信に応答して前記休止キーを生成し、
前記ＲＦＩＤタグの前記標準状態を前記休止状態に変更する前に前記ＲＦＩＤリーダに前記休止キーを送信するように前記処理システムを動作させる、システム。
【請求項１６】
前記実行可能命令はさらに、
前記ＲＦＩＤタグの前記メモリに記憶する情報を前記ＲＦＩＤリーダから受信し、
受信した前記情報を前記ＲＦＩＤタグの前記メモリに記憶する
ように前記処理システムを動作させる、請求項１５に記載のシステム。
【請求項１７】
前記実行可能命令はさらに、
前記ＲＦＩＤタグの前記メモリに前記休止キーを記憶する
ように前記処理システムを動作させる、請求項１５に記載のシステム。
【請求項１８】
前記休止キーを照合することは、前記アウェイクコマンドに含まれている前記休止キーを、前記ＲＦＩＤタグの前記メモリに記憶されている休止キーと照合することを含む、請求項１７に記載のシステム。
【発明の詳細な説明】
【技術分野】
【０００１】
本開示はＲＦＩＤ状態の休止とその復帰に関する。
【背景技術】
【０００２】
ポータブルデバイス、電子デバイス、衣料品、その他の消費財などの小売商品は、販売システム用のタグを使用することによって、顧客が小売商品をレジに持ち込み、各タグをスキャンすることで小売商品の販売を完了する。無線周波数識別（ＲＦＩＤ）タグを盗難防止装置として使用することもできる。例えば、ＲＦＩＤリーダは、小売店の出口の近くに配置され、小売店を出るいずれかの商品がアクティブとなる、すなわちＲＦＩＤタグを作動させるときに、アラームがトリガされる。買物客が小売商品を購入するとき、レジのＲＦＩＤリーダがＲＦＩＤタグを停止するためのコマンドを送信すると、ＲＦＩＤタグは小売店の出口近くのＲＦＩＤリーダによって検出されなくなる。
【０００３】
なお、無線周波数識別に関する先行技術文献として非特許文献１が知られている。
【先行技術文献】
【非特許文献】
【０００４】
【非特許文献１】”EPC Radio-Frequency Identity Protocols Class-1 Generation-2 UHF RFID Protocol for Communications at 860 MHz - 960 MHz Version 1.2.0”, 10/23/2008, 108 pages
【発明の概要】
【０００５】
一実施形態は、無線周波数識別（ＲＦＩＤ）タグで実行される方法である。方法は、ＲＦＩＤリーダからスリープコマンドを受信すること、前記スリープコマンドの受信に応答して、前記ＲＦＩＤタグを、前記ＲＦＩＤリーダからのコマンドに応答するように設定された標準状態から、前記ＲＦＩＤリーダからのアウェイクコマンドにのみ応答するように設定された休止状態に変更すること、前記ＲＦＩＤタグが前記休止状態にある間に、前記ＲＦＩＤリーダから前記アウェイクコマンドと休止キーを受信すること、前記休止キーにより前記アウェイクコマンドを処理することにより、前記ＲＦＩＤタグを前記休止状態から前記標準状態に変更することを備える。前記アウェイクコマンドを処理することは、前記ＲＦＩＤタグの前記休止状態を前記標準状態に変更する前に前記休止キーを照合することを含む。
【０００６】
別の実施形態は、無線周波数識別（ＲＦＩＤ）タグである。ＲＦＩＤタグは、処理システムと、実行可能命令を含むメモリとを備える。前記実行可能命令は、前記処理システムによって実行されることにより、ＲＦＩＤリーダからのコマンドに応答するように設定された標準状態に前記ＲＦＩＤタグがある間に前記ＲＦＩＤリーダからスリープコマンドを受信し、前記スリープコマンドの受信に応答して、前記ＲＦＩＤタグを、前記標準状態から、アウェイクコマンドにのみ応答するように設定された休止状態に変更するように前記処理システムを動作させる。
【０００７】
別の実施形態は、システムである。システムは、無線周波数識別（ＲＦＩＤ）リーダと、処理システムと実行可能命令を含むメモリとを備えるＲＦＩＤタグとを備える。前記実行可能命令は、前記処理システムによって実行されることにより、前記ＲＦＩＤタグが前記ＲＦＩＤリーダからのコマンドに応答可能な標準状態にある間に前記ＲＦＩＤリーダからスリープコマンドを受信し、前記スリープコマンドの受信に応答して、前記ＲＦＩＤタグを、前記標準状態から、アウェイクコマンドにのみ応答可能な休止状態に変更し、前記ＲＦＩＤタグが前記休止状態にある間に、休止キーを含む前記アウェイクコマンドを前記ＲＦＩＤから受信し、前記休止キーの照合に応じて前記ＲＦＩＤタグを前記休止状態から前記標準状態に変更するように前記処理システムを動作させる。
【図面の簡単な説明】
【０００８】
【図１】１つまたは複数の実施形態におけるＲＦＩＤ状態の休止とその復帰を実現するＲＦＩＤタグおよびＲＦＩＤリーダの一例を示す図。
【図２】ＲＦＩＤ状態の休止とその復帰を実現し得る例示的環境をさらに示す図。
【図３】１つまたは複数の実施形態におけるＲＦＩＤ状態の休止とその復帰を実現する方法の一例を示す図。
【図４】１つまたは複数の実施形態におけるＲＦＩＤ状態の休止とその復帰を実現する方法の別の例を示す図。
【図５】１つまたは複数の実施形態におけるＲＦＩＤ状態の休止とその復帰を実現する方法の別の例を示す図。
【図６】１つまたは複数の実施形態におけるＲＦＩＤ状態の休止とその復帰を実現する方法の別の例を示す図。
【図７】ＲＦＩＤ状態の休止とその復帰を実現する実施形態の例示的装置における種々の構成要素を示す図。
【発明を実施するための形態】
【０００９】
以下、無線識別（ＲＦＩＤ）状態の休止とその復帰を実施する実施形態を添付の図面を参照して説明する。図中に示される同様の特徴および構成要素には同じ符号を使用することがある。ＲＦＩＤタグは、標準状態（例えば、規定状態または通常状態）と休止状態とを含む異なる状態をサポートする。また、ＲＦＩＤタグは、ＲＦＩＤタグを休止状態にするためのスリープコマンドと、ＲＦＩＤタグを休止状態から通常動作（例えば、標準状態）に復帰させるためのアウェイクコマンドとをサポートする。ＲＦＩＤタグが標準状態にあるとき、ＲＦＩＤタグは、ＲＦＩＤリーダからの複数の異なるコマンドを受信し、処理し、応答する。ＲＦＩＤタグが休止状態にあるとき、ＲＦＩＤタグはアウェイクコマンドにのみ応答する。ＲＦＩＤタグは、休止状態にある間、コマンドを依然として受信することができるが、アウェイクコマンド以外のコマンドには応答しない。
【００１０】
１つまたは複数の実施形態において、ＲＦＩＤタグは、スリープコマンドの受信に応答して休止キーを生成し、その休止キーをＲＦＩＤリーダに送信する。あるいは、休止キーはコンピューティングデバイスまたはＲＦＩＤリーダによって生成され、その休止キーはＲＦＩＤタグのメモリに記憶されたスリープコマンドに含められる。ＲＦＩＤリーダは、休止キーをアウェイクコマンドとともにＲＦＩＤタグに提供することにより、アウェイクコマンドがＲＦＩＤタグのものであることをＲＦＩＤタグによって照合することを可能にする。
【００１１】
１つまたは複数の実施形態において、ＲＦＩＤタグは、販売場所（ＰＯＳ）情報を記憶する店舗商品の上または内部に配置される。商品は、ＲＦＩＤタグの一部として、またはＲＦＩＤタグとは別に含まれ得る電子製品コード（ＥＰＣ）を使用して追跡される。会計時、ＰＯＳシステムなどのコンピュータシステムは、ＲＦＩＤリーダを使用して店舗商品のＲＦＩＤタグをスキャンし、ＰＯＳ情報を取得する。ＰＯＳシステムは、販売レシートを送信してＲＦＩＤタグのメモリに記憶した後、スリープコマンドをＲＦＩＤタグに送信して、ＲＦＩＤタグの状態を標準状態から休止状態に変更させる。休止キーが生成されてＰＯＳシステムに送信され、店舗商品の休止キーおよび関連するＥＰＣが、小売業者のデータベースまたはバックエンドシステムに記憶され得る。顧客が、購入した店舗商品をＲＦＩＤタグとともに返品する場合、ＰＯＳシステムは店舗商品のＥＰＣを取得する。バックエンドシステムはＥＰＣに関連付けられた休止キーを識別し、ＰＯＳシステムは、休止キーを含むアウェイクコマンドを送信する。ＲＦＩＤタグは休止キーを照合し、休止キーが認証されるとＲＦＩＤタグは標準状態に変更される。ＲＦＩＤタグが標準状態に復帰すると、ＰＯＳシステムはＲＦＩＤタグのメモリに記憶された販売レシートを取得して店舗商品を払い戻すことができる。なお、ＲＦＩＤタグが標準状態に復帰したときに、ＲＦＩＤタグが再使用されてもよい。例えば、その商品が他の顧客に引き続き販売される場合、その後の販売のための販売レシートをＲＦＩＤタグのメモリに記憶することができ、ＲＦＩＤタグを再び休止状態にすることができる。
【００１２】
また、任意で、ＲＦＩＤタグは、コマンドに正しいアクセスパスワードが与えられている場合にのみ、その認証されたコマンドの処理を可能にすることによって、ＲＦＩＤタグにセキュリティを提供するセキュリティモジュールを含む。なお、休止キーを生成するためにセキュリティモジュールを使用してもよい。
【００１３】
本明細書で説明するＲＦＩＤ状態の休止とその復帰の技術は、ＲＦＩＤタグを利用することによって、店舗商品を購入および返却するための迅速かつ効率的な技術を提供する。顧客が店舗商品の販売レシートの物理的なコピーを保持することを要求するのではなく、販売レシートおよびその他の情報は会計時にＲＦＩＤタグに記憶される。顧客が、購入した店舗商品を返品した場合、顧客に不便さを与えることなく、簡単に販売レシートを入手することができる。ＲＦＩＤタグを再利用することができるため、コストを削減し、在庫管理の効率を向上させることができる。
【００１４】
なお、本明細書では、ＲＦＩＤ技術を使用する自動化装置試験の説明を小売店での使用を参照して行うが、これらの技術は、追加的または代替的に他の領域で実施することができる。例えば、本明細書で説明する技術は、製造された商品に関連する情報を記憶し、ＲＦＩＤタグの休止状態を使用することによって誤用を防止する方法として、工場や組立ライン、または顧客サービス施設や修理工場でも同様に使用することができる。
【００１５】
本明細書で使用する用語について、「電源オン」または「電源オン状態」という用語は、ＲＦＩＤタグがオンされ、動作状態（例えば、標準状態または休止状態）にあることを示し、「電源オフ」または「電源オフ状態」という用語は、ＲＦＩＤタグがオフされていることを示す。「電源投入」という用語は、ＲＦＩＤタグが、無線周波数を介してＲＦＩＤタグをオンするエネルギーを供給するＲＦＩＤリーダの通信距離内にある場合など、ＲＦＩＤタグがオンする過程にあることを示すために使用される。ＲＦＩＤタグは「電源オフ状態」から「電源投入」されると「電源オン状態」となる。「電源切断」という用語は、ＲＦＩＤタグが、無線周波数を介してＲＦＩＤタグにエネルギーを供給するＲＦＩＤリーダの通信距離外にある場合など、ＲＦＩＤタグがオフする過程にあることを示すために使用される。ＲＦＩＤタグは「電源オフ状態」から「電源切断」されると「電源オフ状態」となる。
【００１６】
ＲＦＩＤ状態の休止とその復帰の特徴および概念は、任意の数の様々な装置、システム、環境、および／または構成で実施することができるが、ＲＦＩＤ状態の休止とその復帰の実施形態を、以下の例示のデバイス、システム、および方法に関して説明する。
【００１７】
図１は、１つまたは複数の実施形態におけるＲＦＩＤ状態の休止とその復帰を実現し得る例示のＲＦＩＤタグおよびＲＦＩＤリーダを示す。ＲＦＩＤタグ１００は、処理システム１０２、メモリ１０４、ＲＦ（無線周波数）インタフェース１０６、および図７に示される例示の装置を参照して後述する任意の数および組み合わせの種々の構成要素などの種々の構成要素によって実現することができる。
【００１８】
ここでの例では、ＲＦＩＤタグ１００は、処理システム１０２、メモリ１０４、およびＲＦＩＤリーダ１１０などのＲＦＩＤリーダとの双方向無線通信１０８に利用することができるＲＦインタフェース１０６の構成要素および機能を実装する。ＲＦＩＤタグ１００は、ＲＦＩＤリーダ１１０の存在下で起動または電源投入される。一般に、ＲＦＩＤタグは、識別データまたは他の情報でプログラムされ得る小型電子タグまたはラベルである。ＲＦＩＤリーダ１１０は、ＲＦＩＤタグが記憶している識別データや情報を返信可能な範囲内に存在するＲＦＩＤタグに、問い合わせ信号をブロードキャストメッセージとして送信することができる。そして、ＲＦＩＤタグは、ＲＦ通信チャネルを介してＲＦＩＤリーダにデータ情報を無線通信し、ＲＦＩＤリーダは、その情報をＲＦＩＤタグ情報１１２として受信する。ＲＦＩＤタグ情報１１２は、ＲＦＩＤタグ１００に記憶される情報を含んでいてもよく、ＲＦＩＤリーダ１１０は、ＲＦＩＤタグ情報１１２を送信して、ＲＦＩＤタグ１００のメモリ１０４にタグデータ１１４として記憶することができる。
【００１９】
実施形態において、ＲＦＩＤタグ１００は、ＲＦＩＤリーダ１１０との双方向通信のための送信機および受信機（または、トランシーバとして実装され得る）とともに、ＡＳＩＣ／ＣＰＵモジュール（例えば、処理システム１０２）を含み得る。コマンドを受信すると、ＲＦＩＤタグのＡＳＩＣ／ＣＰＵモジュールは、そのコマンドを処理し、ＲＦＩＤタグ１００からのデータを含み得る応答を生成し、その応答をＲＦＩＤリーダ１１０に無線送信する。ＲＦＩＤタグ１００からの応答信号は、例えば低周波（ＬＦ）電波、高周波（ＨＦ）電波、または超高周波（ＵＨＦ）電波を用いて通信することができる。ＲＦＩＤタグデータ１１４は不揮発性メモリに記憶することができ、ＡＳＩＣ／ＣＰＵモジュールは、ＲＦＩＤタグデータ１１４を処理し、ＲＦ信号を変調および復調するための固定ロジックまたはプログラム可能ロジックとして実装することができる。ＲＦＩＤリーダ１１０は、ＲＦＩＤタグ１００からの応答信号を受信する。この応答信号は、ＲＦＩＤタグ１００からのデータを含むことができる。ＲＦＩＤリーダ１１０によって受信された応答信号およびデータは、ＲＦＩＤタグ１００が記憶している情報、ＲＦＩＤタグ１００が取得した情報、ＲＦＩＤタグ１００が生成した情報などを含み得る。また、ＲＦＩＤタグ１００から受信される応答信号およびデータは、コードや英数字値、センサから得られたセンサ値を含むパラメータ、パラメータ値、記述子、またはそれらの組み合わせを含む識別情報を含み得る。
【００２０】
本明細書において、ＲＦＩＤタグ１００は、ＲＦＩＤリーダ１１０からスリープコマンド１１６ａを受信して休止状態に変化する。休止状態において、ＲＦＩＤタグは使用不可および読み出し不可とされる。ＲＦＩＤタグ１１０を休止状態から復帰させるために、ＲＦＩＤタグ１１０は、ＲＦＩＤリーダ１１０からアウェイクコマンド１１６ｂを受信して標準状態に変化する。
【００２１】
ここでの例では、ＲＦＩＤタグ１００の処理システム１０２は、ＲＦＩＤ状態の休止とその復帰を実行するために、状態モジュール１１８、コマンドモジュール１２０、およびセキュリティモジュール１２２を含む。状態モジュール１１８、コマンドモジュール１２０、およびセキュリティモジュール１２２は、プロセッサによって（例えば、処理システム１０２によって）実行可能なコンピュータ実行可能ソフトウェア命令などのソフトウェアアプリケーションまたはモジュールとして実装することができる。ソフトウェアアプリケーションとして、状態モジュール１１８、コマンドモジュール１２０、およびセキュリティモジュール１２２は、ＲＦＩＤタグ１００に実装される任意の適したメモリデバイスや電子データ記憶装置などのコンピュータ可読記憶メモリ（例えば、デバイスメモリ１０４）に記憶することができる。
【００２２】
１つまたは複数の実施形態において、ＲＦＩＤタグ１００のメモリ１０４（例えば、不揮発性メモリ）は、メモリ１０４と通信する処理システム１０２を通じ、ＲＦインタフェース１０６および無線通信１０８を介してＲＦＩＤリーダ１１０によってアセスされ得る。例えば、処理システム１０２のコマンドモジュール１２０は、ＲＦＩＤリーダ１１０からストアコマンド１１６ｃなどのコマンド１１６を受信して、ＲＦＩＤタグ１００のメモリ１０４にＲＦＩＤタグ情報１１２を記憶する。そして、コマンドモジュール１２０は、受信したＲＦＩＤタグ情報１１２をＲＦＩＤタグ１００のメモリ１０４にタグデータ１１４として記憶する。実施形態では、ＲＦＩＤタグ１００のメモリ１０４に記憶されるＲＦＩＤタグ情報１１２は休止キー１２４を含み得る。この休止キー１２４は、ＲＦＩＤタグ１００のメモリ１０４にセキュリティ情報１２６として記憶されている。
【００２３】
１つまたは複数の実施形態において、処理システム１０２の状態モジュール１１８は、ＲＦＩＤタグ１００の動作を複数の状態の１つで制御するように実装される。複数の状態は、標準状態（通常状態とも呼ぶ）、休止状態、および終了状態を含む。標準状態は、ＲＦＩＤタグが、ＲＦＩＤリーダ１１０から複数の異なるコマンド（例えば、ＲＦＩＤタグ１００にデータを記憶するコマンド、ＲＦＩＤタグ１００からデータを読み出すコマンド、ＲＦＩＤタグ１００の状態を（例えば、休止状態または終了状態に）変更するコマンドなど）を受信し、処理して、それらに応答するように実装される。休止状態は、ＲＦＩＤタグ１００がアウェイクコマンド１１６ｂにのみ応答するように実施される。ＲＦＩＤタグ１００が休止状態にある間、ＲＦＩＤタグ１００によって受信される他のコマンドはすべて無視される。ＲＦＩＤタグ１００の終了状態は、ＲＦＩＤタグが再使用できなくなるようにＲＦＩＤタグを永久に無効にする。このため、一旦終了状態になると、ＲＦＩＤタグ１００を異なる状態に復帰させることはできない。
【００２４】
１つまたは複数の実施形態において、処理システム１０２のコマンドモジュール１２０は、ＲＦＩＤリーダ１１０から受信したコマンドを処理して応答するように実装される。コマンドモジュール１２０は、処理システム１０２の状態モジュール１１８と通信して、状態を変化させる。また、コマンドモジュール１２０は、セキュリティモジュール１２２と通信して、ＲＦＩＤリーダ１１０から受信したコマンドおよび／またはデータを照合および認証することができる。例えば、ＲＦＩＤリーダ１１０からのスリープコマンド１１６ａがＲＦＩＤタグ１００によって受信される。コマンドモジュール１２０は、スリープコマンド１１６ａの受信に応答して、状態モジュール１１８と通信して、ＲＦＩＤタグ１００の現在の状態を休止状態に変更する。
【００２５】
実施形態において、状態モジュール１１８またはコマンドモジュール１２０は、セキュリティモジュール１２２と通信して、ＲＦＩＤタグのメモリ１０４に記憶される休止キーを含むセキュリティ情報１２６を生成することができる。セキュリティモジュール１２２によって生成された休止キーはパスワードであり、ＲＦＩＤリーダ１１０からのスリープコマンド１１６ａへの応答メッセージとして、コマンドモジュール１２０によってＲＦＩＤリーダ１１０に通信することができる。ＲＦＩＤリーダ１１０は、生成された休止キーをアウェイクコマンド１１６ｂとともに利用される休止キー１２４として受信する。休止キーは、６４ビットキーなど、種々のサイズとすることができる。
【００２６】
ＲＦＩＤタグ１００が休止状態にあるときにＲＦＩＤタグ１００を標準状態に戻すために、コマンドモジュール１２０は、ＲＦＩＤリーダ１１０からアウェイクコマンド１１６ｂを受信する。上述したように、ＲＦＩＤリーダ１１０から受信する他の全てのコマンドはＲＦＩＤタグ１００によって無視され、それらの他のコマンドは処理されず（それらを無視すると判定することを除いて）、それらに対する応答はＲＦＩＤリーダ１１０に通信されない。ＲＦＩＤタグによって受信されたアウェイクコマンド１１６ｂは、休止キー１２４を含む。コマンドモジュール１２０は、セキュリティモジュール１２２と通信して、アウェイクコマンド１１６ｂとともに受信した休止キー１２４を、ＲＦＩＤタグ１００のメモリ１０４のセキュリティ情報１２６と照合する。休止キーが照合された場合（例えば、受信した休止キーがセキュリティ情報１２６に含まれる休止キーに適合するかまたは一致する場合）、コマンドモジュール１２０は、状態モジュール１１８と通信して、休止状態から標準状態に変更する。
【００２７】
追加的または代替的に、休止キーは、ＲＦＩＤリーダ１１０によって、またはＲＦＩＤタグ１００と通信するためにＲＦＩＤリーダ１１０を利用するコンピュータシステムによって生成することができる。このような状況では、上述したように休止キーを含むセキュリティ情報１２６をセキュリティモジュール１２２が生成するのではなく、ＲＦＩＤリーダ１１０が休止キー１２４を（例えば、スリープコマンド１１６ａとともに）ＲＦＩＤタグ１００に通信する。コマンドモジュール１２０（またはセキュリティモジュール１２２）は、スリープコマンド１１６ａおよび休止キー１２４の受信に応答して、休止キー１２４をＲＦＩＤタグのメモリ１０４にセキュリティ情報１２６として記憶する。
【００２８】
１つまたは複数の実施形態において、ＲＦＩＤタグ１００は、ＲＦＩＤリーダ１１０から受信したコマンドの処理が許可されているか否かを判定するためにアクセスパスワードを用いるセキュア状態を含む。このセキュア状態は、標準状態の一部（例えば、そのサブ状態）として含まれてもよいし、あるいは、アクセスパスワードの使用以外は、セキュア状態に類似していてもよい。アクセスパスワードは、ＲＦＩＤタグ１００のメモリ１０４内のセキュリティ情報１２６に記憶される。ＲＦＩＤタグ１００がセキュア状態にあるとき、セキュリティモジュール１２２は、ＲＦＩＤリーダ１１０が、照合または認証されたアクセスパスワードを送信する場合（例えば、ＲＦＩＤリーダ１１０から受信したアクセスパスワードがセキュリティ情報１２６内のアクセスパスワードに適合するかまたは一致する場合）、ＲＦＩＤリーダ１１０から受信したコマンドを実行する。ＲＦＩＤリーダ１１０が、照合または認証されていないアクセスパスワードを送信する場合（例えば、ＲＦＩＤリーダ１１０から受信したアクセスパスワードがセキュリティ情報１２６内のアクセスパスワードに適合しないかまたは一致しない場合）、コマンドモジュール１２０は、ＲＦＩＤリーダ１１０から受信したコマンドを実行しない。
【００２９】
例えば、ＲＦＩＤタグ１００のコマンドモジュール１２０は、ＲＦＩＤリーダ１１０から、アクセスパスワードを含むスリープコマンド１１６ａを受信する。コマンドモジュール１２０は、セキュリティモジュール１２２と通信し、ＲＦＩＤリーダ１１０から受信したスリープコマンド１１６ａに含まれているアクセスパスワードを、ＲＦＩＤタグ１００のセキュリティ情報１２６に記憶されているアクセスパスワードと照合する。受信したスリープコマンド１１６ａに含まれているアクセスパスワードが照合された場合（例えば、受信したアクセスパスワードがセキュリティ情報１２６内のアクセスパスワードに適合するかまたは一致する場合）、コマンドモジュール１２０は、上述したようにスリープコマンド１１６ａの処理を継続する。受信したアクセスパスワードが照合されない場合、コマンドモジュール１２０はスリープコマンド１１６ａを処理しない。
【００３０】
上記の例を続けると、ＲＦＩＤタグ１００のコマンドモジュール１２０は、ＲＦＩＤタグ１００が休止状態にある間に、休止キーおよびアクセスパスワードを含むアウェイクコマンド１１６ｂを受信する。コマンドモジュール１２０は、セキュリティモジュール１２２と通信して、受信したアウェイクコマンド１１６ｂに含まれているアクセスパスワードを、ＲＦＩＤタグ１００のセキュリティ情報１２６に記憶されているアクセスパスワードと照合する。受信したアウェイクコマンド１１６ｂに含まれているアクセスパスワードが照合すなわち認証された場合（例えば、ＲＦＩＤリーダ１１０から受信したアクセスパスワードがメモリ１０４内のアクセスパスワードに適合するかまたは一致する場合）、コマンドモジュール１２０は、上述したようにアウェイクコマンド１１６ｂの処理を継続する。受信したアクセスパスワードが照合されない場合（例えば、ＲＦＩＤリーダ１１０から受信したアクセスパスワードがセキュリティ情報１２６内のアクセスパスワードに適合しないかまたは一致しない場合）、コマンドモジュール１２０は、アウェイクコマンド１１６ｂを処理しない。
【００３１】
１つまたは複数の実施形態では、ＲＦＩＤタグ１００によって受信されるコマンド１１６のコマンド構造またはパケット構造は、コマンド１１６の各々についてアクセスパスワードおよび／または休止キーを含むのに十分なビットまたはバイトを含む。例えば、上述のコマンド（例えば、ストア、アウェイク、スリープ）は各々、そのコマンド、アクセスパスワード、および／または休止キーを含むのに十分な大きさの特定のコマンド構造サイズを有する。あるいは、コマンド構造またはパケット構造が、そのコマンド、アクセスパスワード、および／または休止キーを含むのに十分なサイズではなく、ＲＦＩＤタグとＲＦＩＤリーダとの間の通信プロトコルは、コマンド、アクセスパスワード、および／または休止キーを通信するための複数のコマンドまたはパケットをサポートしてもよい。
【００３２】
アクセスパスワードおよび休止キーは、種々の異なるサイズを有し得る。例えば、アクセスパスワードは３２ビットのサイズを有し得る。休止キーは６４ビットのサイズを有し得る。しかしながら、アクセスパスワードおよび休止キーのこれらのサイズは、限定として解釈されることを意図するものではなく、アクセスパスワードおよび／または休止キーの種々の他のサイズも使用することができる。
【００３３】
状態モジュール１１８、コマンドモジュール１２０、およびセキュリティモジュール１２２は、ＲＦＩＤタグ１００の処理システム１０２の異なるモジュールとして示されているが、これに代えて、状態モジュール１１８、コマンドモジュール１２０、およびセキュリティモジュール１２２は、より少数のモジュールで組み合わせられてもよく、および／または追加のモジュールにさらに分離されてもよい。
【００３４】
図２は、ＲＦＩＤ状態の休止とその復帰を実現し得る例示的環境を示す。この例では、環境２００はコンピュータシステム２０４を含む小売店２０２を含み、コンピュータシステム２０４はＲＦＩＤリーダ２０６および店舗商品２０８を含む。店舗商品２０８はＲＦＩＤタグ２１０を含む。このＲＦＩＤタグ２１０は、図１に示されるＲＦＩＤタグ１００とすることができる。
【００３５】
環境２００は、店舗商品２０８を購入するための、コンピュータシステム２０４を利用する小売店２０２の会計領域（例えば、レジ２１２）を含む。１つまたは複数の実施形態において、コンピュータシステム２０４は、店舗商品２０８のＲＦＩＤタグ２１０と双方向無線通信２１４を行うＲＦＩＤリーダ２０６を利用する。
【００３６】
実施形態において、店舗商品２０８のＲＦＩＤタグ２１０は、ＲＦＩＤリーダ２０６からのスキャンまたはコマンドに応答して、ＲＦ通信チャネルを介してＲＦＩＤリーダ２０６にデータを無線通信することができる。例えば、店舗商品２０８がレジ２１２に到着すると、コンピュータシステム２０４のＲＦＩＤリーダ２０６は、店舗商品２０８をスキャンしてＲＦＩＤタグ２１０を電源投入する。ＲＦＩＤタグは、ＲＦＩＤリーダ２０６から情報を受信してＲＦＩＤタグ２１０のメモリに記憶する。この情報は、販売レシート、店舗商品のモデルやシリアル番号、顧客情報などの、店舗商品２０８に関連付けられた情報を含み得る。
【００３７】
次に、ＲＦＩＤタグ２１０は、ＲＦＩＤリーダ２０６からスリープコマンドを受信し、これに応答して、ＲＦＩＤタグ２１０は、コンピュータシステム２０４または小売店２０２のバックエンドシステムに記憶される休止キーを送信する。ＲＦＩＤタグ２１０は、休止キーを含むアウェイクコマンドにのみ応答する休止状態に変化する。
【００３８】
店舗商品が出口２１６の近くに達すると、ＲＦＩＤリーダ２１８は、通信範囲内にある無線通信２２０を介して、店舗商品上またはその内部に位置するＲＦＩＤタグを連続的にスキャンする。購入されていない店舗商品は標準状態のＲＦＩＤタグを有しており、ＲＦＩＤリーダ（例えば、ＲＦＩＤリーダ２１８）は、小売店２０２の出口２１６で標準状態のＲＦＩＤタグを検出可能である。一方、休止状態のＲＦＩＤタグは、ＲＦＩＤリーダ２１８に対して応答しない。例えば、店舗商品２０８がレジ２１２を通過しなかった場合、店舗商品が購入されなかったため、店舗商品２０８のＲＦＩＤタグ２１０は標準状態のままにある。店舗商品２０８が出口２１６に達すると、ＲＦＩＤリーダ２１８は、ＲＦＩＤタグ２１０が標準状態にあることから店舗商品２０８を検出する（例えば、ＲＦＩＤタグ２１０がＲＦＩＤリーダ２１８からのスキャンコマンドまたはクエリコマンドに応答する）。そして、アラームを鳴らしたり、店舗商品２０８のＥＰＣを記録したり、通知またはレポートを送信したりするなど、適切な応答動作を行うことができる。別の例では、店舗商品２０８がレジ２１２を通過した場合は、店舗商品が購入されたため、ＲＦＩＤタグ２１０は休止状態にある。店舗商品２０８が出口２１６に達すると、ＲＦＩＤリーダ２１８は、ＲＦＩＤタグ２１０が休止状態にあることから店舗商品２０８を検出しない（ＲＦＩＤタグ２１０は、アウェイクコマンドにのみ応答するが、この場合、アウェイクコマンドはＲＦＩＤリーダ２１８によって送信されない）。
【００３９】
店舗商品２０８は、その後、払い戻しのために小売店２０２に返却される場合がある。店舗商品２０８のＲＦＩＤタグ２１０は、上述したように店舗商品が購入された後、休止状態になるように実行される。ＲＦＩＤタグ２１０の休止状態を終了させて標準状態へと移行させるために、ＲＦＩＤタグ２１０は、ＲＦＩＤリーダ２０６から、ＲＦＩＤタグ２１０に関連付けられた休止キーを含むアウェイクコマンドを受信する。ＲＦＩＤタグ２１０は、休止キーを照合すると休止状態から標準状態に変更される。なお、ＲＦＩＤリーダ２０６を利用するコンピュータシステム２０４は、ＲＦＩＤタグ２１０のメモリに記憶されている以前の情報を消去または削除するコマンドを送信してもよい。上述したように、ＲＦＩＤタグのメモリに記憶される情報は販売レシートであってもよく、この販売レシートは、店舗商品の返却時またはその後の店舗商品の購入時に削除されてもよい。
【００４０】
上述した説明は、環境２００が、ＲＦＩＤタグを利用して情報を記憶し、休止モードに移行することを可能にし、休止キーを有する場合を除いて、ＲＦＩＤタグが読み取られ、変更され、または再使用されないようにする。また、ＲＦＩＤタグは、小売店の出口の近くで購入されていない店舗商品を検出することによって盗難防止装置システムに用いることができる。
【００４１】
図３〜図６を参照して、ＲＦＩＤ状態の休止とその復帰の実施形態における例示の方法３００，４００，５００，６００を説明する。概して、本明細書において、サービス、コンポーネント、モジュール、方法、および／または動作は、ソフトウェア、ファームウェア、ハードウェア（例えば、固定ロジック回路）、手動処理、またはそれらの組み合わせを用いて実現することができる。例示の方法のいくつかの動作は、コンピュータ処理システムに対してローカルおよび／またはリモートな位置にあるコンピュータ可読記憶メモリに記憶された実行可能命令によって概して実行することができ、その実施には、ソフトウェアアプリケーション、プログラム、機能などを含むことができる。追加的にまたは代替的に、本明細書で説明する機能のいずれかは、少なくとも部分的に、フィールドプログラマブルゲートアレイ（ＦＰＧＡ）、特定用途向け集積回路（ＡＳＩＣ）、特定用途向け標準製品（ＡＳＳＰ）、システムオンチップシステム（ＳｏＣ）、コンプレックスプログラマブルロジックデバイス（ＣＰＬＤ）などを含む。
【００４２】
図３は、１つまたは複数の実施形態におけるＲＦＩＤ状態の休止とその復帰を実現する例示の方法３００を示す。方法３００は、図１に示されるＲＦＩＤタグ１００や図２に示されるＲＦＩＤタグ２１０などのＲＦＩＤタグによって実行される。説明する方法の順序は、限定として解釈されることを意図しておらず、説明する方法における任意の数または組み合わせの処理が、任意の順序で実行され得る。以下、方法３００を、図１を参照しつつ説明する。
【００４３】
３０２において、ＲＦＩＤタグが標準状態で電源投入される。３０４において、ＲＦＩＤタグのメモリに記憶する情報が受信される。この情報は、例えば、休止キー、販売レシート、ＲＦＩＤタグに関連付けられたモデルおよびシリアル番号、顧客情報、および／または他の情報とすることができる。例えば、ＲＦＩＤタグ１００は、ＲＦＩＤリーダ１１０からＲＦＩＤタグ情報１１２を受信して、それをタグデータ１１４としてＲＦＩＤタグ１００のメモリ１０４に記憶することができる。
【００４４】
３０６において、スリープコマンドが受信される。例えば、ＲＦＩＤタグ１００は、ＲＦＩＤリーダ１１０からスリープコマンド１１６ａを受信することができる。
３０８において、ＲＦＩＤタグがセキュア状態にあるか否か判定される。セキュア状態は、ＲＦＩＤタグが受信したコマンドに含まれることが要求されるアクセスパスワードを利用して、ＲＦＩＤタグがセキュア状態の間にコマンドを処理できるようにする。ＲＦＩＤタグがセキュア状態にない場合（すなわち、３０８で「Ｎｏ」）、処理は３１０に進む。
【００４５】
３１０において、ＲＦＩＤタグは、ＲＦＩＤタグのメモリに記憶される休止キーを生成し、３１２において、休止キーを送信することができる。上記の例を続けると、処理システム１０２は、ＲＦＩＤリーダ１０８からのスリープコマンド１１６ａの受信に応答して、ＲＦＩＤタグ１００のメモリ１０４に記憶される休止キーを生成し、生成した休止キーをスリープコマンドに対する応答メッセージとしてＲＦＩＤリーダ１１０に送信する。
【００４６】
３１４において、ＲＦＩＤタグの現在の状態が休止状態に変更される。例えば、ＲＦＩＤタグ１００の処理システム１０２は、状態モジュール１１８と通信して、ＲＦＩＤタグ１００の現在の状態を休止状態に変更することができる。その後、処理は、３１６で電源切断して終了する。
【００４７】
３０８に戻って、ＲＦＩＤタグがセキュア状態にある場合、３１８において、スリープコマンドに含まれるアクセスパスワードが有効か否か判定される。アクセスパスワードが有効である場合（すなわち、３１８で「Ｙｅｓ」）、処理は、３１０で休止キーを生成するように進められる。アクセスパスワードが無効である場合（すなわち、３１８で「Ｎｏ」）、処理は、３１６で電源切断して終了する。
【００４８】
任意で、３２０において、休止キーが受信されてＲＦＩＤタグのメモリに記憶される。例えば、ＲＦＩＤタグ１００は、ＲＦＩＤリーダ１１０から休止キー１２４を受信して、セキュリティ情報１２６としてＲＦＩＤタグ１００のメモリ１０４に記憶することができる。したがって、ＲＦＩＤタグ１００自体が休止キー１２４を生成してその休止キー１２４をＲＦＩＤリーダ１１０に送信（例えば、３１０，３１２）するのではなく、ＲＦＩＤリーダ１１０から休止キーを受信することができる。
【００４９】
任意で、３２２において、ＲＦＩＤタグをアクセスパスワードを利用するセキュア状態に変更するコマンドが受信される。
３２０で休止キーを受信した後、および／または３２２で現在の状態をセキュア状態に変更した後、処理は、３１４でＲＦＩＤタグの現在の状態を休止状態に変更し、３１６で電源切断して終了する。
【００５０】
１つまたは複数の実施形態において、ＲＦＩＤタグがまだセキュア状態にない場合、３２０で休止キーが受信され、３０６で受信されたスリープコマンドに応答して、３１４でＲＦＩＤタグの状態が休止状態に変更される。しかしながら、ＲＦＩＤタグがすでにセキュア状態にある場合には、ＲＦＩＤタグによって受信されたアクセスパスワードが有効であるときに、３１４でＲＦＩＤタグの状態が休止状態に変更される。アクセスパスワードが有効でない場合、３２０で休止キーが受信されていても休止状態に変更されることなく、処理は３１６で電源切断して終了する。
【００５１】
図４は、１つまたは複数の実施形態におけるＲＦＩＤ状態の休止とその復帰を実現する別の例示の方法４００を示す。方法４００は、図２に示されるコンピュータシステム２０４およびＲＦＩＤリーダ２０６などの、ＲＦＩＤリーダを利用するコンピュータシステムによって実行される。説明する方法の順序は、限定として解釈されることを意図しておらず、説明する方法における任意の数または組み合わせの処理が、任意の順序で実行され得る。以下、方法４００を、図２を参照しつつ説明する。
【００５２】
４０２において、ＲＦＩＤタグを含むユーザ選択商品が受け取られる。このユーザ選択商品は、例えば、図２に示される店舗商品２０８などの小売商品とすることができる。例えば、店舗商品２０８は、レジ２１２でコンピュータシステム２０４を使用するレジ係によって受け取られる。
【００５３】
４０４において、ユーザ選択商品のＲＦＩＤタグがスキャンされると、電源投入されてＲＦＩＤタグに関連付けられた情報が取得される。この情報は、ＲＦＩＤタグの固有識別子、ユーザ選択商品の電子製品コード、ＲＦＩＤタグのメモリに記憶されたデータなどを含み得る。電源投入してＲＦＩＤタグに関連付けられた情報を取得するためのスキャンは、例えば、ＲＦＩＤリーダ２０６を利用するコンピュータシステム２０４によって行うことができる。
【００５４】
４０６において、スリープコマンドがＲＦＩＤタグに送信される。このスリープコマンドは、例えば、コンピュータシステム２０４のＲＦＩＤリーダ２０６によって送信することができる。また、任意で、アクセスパスワードをＲＦＩＤタグに送信してもよい。
【００５５】
４０８において、スリープコマンドに応答して、休止キーがＲＦＩＤリーダ（例えば、ＲＦＩＤリーダ２０６）によって受信される。あるいは、休止キーは、処理４０６でスリープコマンドとともにＲＦＩＤタグに送信されてもよく、この場合、休止キーは処理４０８では受信されない。
【００５６】
４１０において、４０４で取得された情報および４０８で受信された休止キーが、コンピュータシステムまたはバックエンドシステムに記憶される。例えば、コンピューティングシステム２０４は、ＲＦＩＤタグ２１０から受信した取得情報および休止キーをコンピューティングシステム２０４のメモリ（例えば、不揮発性メモリ）に記憶することができる。休止キーは、ＲＦＩＤタグに関連付けられて記憶される。この関連付けは、レコード、リスト、データベース、または他のデータ構造マッピング、あるいは休止キーとＲＦＩＤタグとの間の相関を維持するなど、種々の方法で行うことができる。ＲＦＩＤタグは、ＲＦＩＤタグの一部として含まれる（例えば、タグデータ１１４として記憶された）ＥＰＣなどに基づいて、または店舗商品２０８やＲＦＩＤタグ２１０に表示または印刷されるバーコードや他のユニバーサルプロダクトコード（ＵＰＣ）などに基づいて、種々の方法で識別することができる。
【００５７】
図５は、１つまたは複数の実施形態におけるＲＦＩＤ状態の休止とその復帰を実現する別の例示の方法５００を示す。方法５００は、図１に示されるＲＦＩＤタグ１００や図２に示されるＲＦＩＤタグ２１０などのＲＦＩＤタグによって実行される。説明する方法の順序は、限定として解釈されることを意図しておらず、説明する方法における任意の数または組み合わせの処理が、任意の順序で実行され得る。以下、方法５００を、図１を参照しつつ説明する。
【００５８】
５０２において、ＲＦＩＤリーダからのコマンドに応答して、ＲＦＩＤタグが休止状態で電源投入される。
５０４において、ＲＦＩＤリーダからのコマンドがアウェイクコマンドであるか否かが判定される。例えば、ＲＦＩＤタグ１００は、ＲＦＩＤリーダ１１０からアウェイクコマンド１１６ｂを受信し得る。別の例では、ＲＦＩＤタグ１００は、休止キー１２４を含むアウェイクコマンド１１６ｂをＲＦＩＤリーダ１１０から受信し得る。
【００５９】
５０６において、受信したコマンドがアウェイクコマンドであると判定する場合、ＲＦＩＤタグに関連付けられた電子製品コード（ＥＰＣ）がＲＦＩＤリーダに送信される。例えば、ＲＦＩＤタグ１００は、ＥＰＣを含むタグデータ１１４をＲＦＩＤリーダ１１０に送信することができる。
【００６０】
５０８において、休止キーがＲＦＩＤリーダから受信される。例えば、ＲＦＩＤタグ１００は、ＲＦＩＤリーダ１１０から休止キー１２４を受信し得る。
５１０で、休止キーが照合されたか否かが判定される。休止キーは、例えば、図１に示されるセキュリティモジュール１２２によって照合することができる。例えば、セキュリティモジュール１２２は、受信した休止キーを、ＲＦＩＤタグ１００のメモリ１０４内のセキュリティ情報１２６に記憶されている休止キーと照合または認証することができる。
【００６１】
５１２において、任意で、アウェイクコマンドに含まれるアクセスパスワードが有効であるか否かが判定される。上述したように、ＲＦＩＤタグが休止状態に変更する前にセキュア状態とされていた場合、その後のすべてのコマンドにアクセスパスワードが必要とされる。
【００６２】
５１４において、休止キーが照合され且つ任意でアクセスパスワードが有効である場合には、ＲＦＩＤタグの休止状態が標準状態に変更される。例えば、ＲＦＩＤリーダ１１０から受信したアウェイクコマンドを処理するコマンドモジュール１２０は、状態モジュール１１８と通信して、休止状態から標準状態に変更し得る。
【００６３】
５１６において、処理はＲＦＩＤタグを電源切断して終了する。アウェイクコマンドではないコマンドを受信した場合、アウェイクコマンドとともに受信した休止キーが照合されない場合、または、アウェイクコマンドとともに受信したアクセスパスワードが照合されない場合、処理は終了し得る。
【００６４】
図６は、１つまたは複数の実施形態におけるＲＦＩＤ状態の休止とその復帰を実現する別の例の方法６００を示す。方法６００は、図２に示されるコンピュータシステム２０４およびＲＦＩＤリーダ２０６などの、ＲＦＩＤリーダを利用するコンピュータシステムによって実行される。説明する方法の順序は、限定として解釈されることを意図しておらず、説明する方法における任意の数または組み合わせの処理が、任意の順序で実行され得る。以下、方法６００を、図２を参照しつつ説明する。
【００６５】
６０２において、休止状態のＲＦＩＤタグを含む商品が受け取られる。この商品は、例えば、図２に示される店舗商品２０８などの小売商品とすることができる。例えば、店舗商品２０８は、レジ２１２でコンピュータシステム２０４を使用するレジ係によって受け取られる。
【００６６】
６０４において、商品のＲＦＩＤタグがスキャンされると、電源投入されてＲＦＩＤタグに関連付けられた情報が取得される。この情報は、ＲＦＩＤタグの固有識別子、ユーザ選択商品の電子製品コード、ＲＦＩＤタグのメモリに記憶されたデータなどを含み得る。電源投入してＲＦＩＤタグに関連付けられた情報を取得するためのスキャンは、例えば、ＲＦＩＤリーダ２０６を利用するコンピュータシステム２０４によって行うことができる。
【００６７】
６０６において、ＲＦＩＤタグに関連付けられた休止キーが、コンピュータシステムまたはバックエンドシステムから取得される。例えば、コンピュータシステム２０４は、コンピュータシステム２０４のメモリまたはバックエンドシステムから店舗商品２０８のＲＦＩＤタグ２１０に関連付けられた休止キーを取得し得る。取得する適切な休止キーは、ＲＦＩＤタグに関連付けられたＥＰＣなどに基づいて、種々の方法で決定することができる。ＥＰＣは、ＲＦＩＤタグの一部として含まれてもよいし、店舗商品２０８に表示または印刷されたバーコードや他のＵＰＣなどであってもよい。
【００６８】
６０８において、休止キーを含むアウェイクコマンドが商品のＲＦＩＤタグに送信されて、ＲＦＩＤタグが休止状態から標準状態に復帰する。例えば、コンピュータシステム２０４のＲＦＩＤリーダ２０６は、アウェイクコマンドを店舗商品２０８のＲＦＩＤタグ２１０に送信し得る。また、任意で、アクセスパスワードが、アウェイクコマンドとともにＲＦＩＤタグ２１０に送信されてもよい。
【００６９】
６１０において、商品の支払いが商品を購入した顧客に払い戻される。
図７は、ＲＦＩＤ状態の休止とその復帰を実現する実施形態の例示の装置７００の種々の構成要素を示す。例示の装置７００は、任意のタイプのクライアントデバイス、携帯電話、タブレット、コンピュータ装置、通信、エンターテインメント、ゲーム、メディア再生、および／または他のタイプのデバイスなど、図１〜図６を参照して上記説明した任意のコンピューティングデバイスとして実現することができる。例えば、図１に示されるＲＦＩＤタグ１００は、ＲＦＩＤタグ２１０、およびコンピュータシステム２０４が、例示の装置７００として実現されてもよい。
【００７０】
装置７００は、図１に示されるＲＦＩＤタグ１００を参照して説明したタグデータ１１４およびセキュリティ情報１２６などの他の装置との間で、デバイスデータ７０４の有線および／または無線での通信を可能にする通信トランシーバ７０２を含む。デバイスデータは、任意のタイプのオーディオ、ビデオ、および／または画像データを含み得る。例示のトランシーバは、種々のＩＥＥＥ８０２．１５（Ｂｌｕｅｔｏｏｔｈ（登録商標））規格に準拠する無線パーソナルエリアネットワーク（ＷＰＡＮ）無線機、種々のＩＥＥＥ８０２．１１（ＷｉＦｉ（登録商標））規格のいずれかに準拠する無線ローカルエリアネットワーク（ＷＬＡＮ）無線機、種々のＩＥＥＥ８０２．１５（ＷｉＭＡＸ（登録商標））規格に準拠する無線メトロポリタンエリアネットワーク（ＷＭＡＮ）無線機、およびネットワークデータ通信のための有線ローカルエリアネットワーク（ＬＡＮ）イーサネット（登録商標）トランシーバを含む。
【００７１】
また、装置７００は、１つまたは複数のデータ入力ポート７０６を含むことができる。このデータ入力ポート７０６を介して、任意のタイプのデータ、メディアコンテンツ、および／または入力を受信することができる。これらのデータ、メディアコンテンツ、および／または入力としては、例えば、装置に対するユーザ選択可能入力、メッセージ、音楽、テレビコンテンツ、記録コンテンツ、ならびに、任意のコンテンツおよび／またはデータソースから受信される任意の他のタイプのオーディオデータ、ビデオデータ、および／または画像データなどが挙げられる。データ入力ポートは、ＵＳＢポート、同軸ケーブルポート、およびフラッシュメモリやＤＶＤやＣＤなどに対する他のシリアルまたはパラレルコネクタ（内部コネクタを含む）を含み得る。これらのデータ入力ポートは、任意のタイプの構成要素、周辺機器、あるいは、マイクロホンおよび／またはカメラなどのアクセサリに装置を結合するために使用され得る。
【００７２】
装置７００は、１つまたは複数のプロセッサ（例えば、任意のマイクロプロセッサ、コントローラなど）および／またはコンピュータ実行可能命令を処理するシステムオンチップ（ＳｏＣ）として実装されるプロセッサおよびメモリシステムなどのプロセッサシステム７０８を含む。プロセッサシステムは、少なくとも一部をハードウェアで実現することができる。この処理システムとしては、集積回路またはオンチップシステムの構成要素を含むハードウェア、特定用途向け集積回路（ＡＳＩＣ）、フィールドプログラマブルゲートアレイ（ＦＰＧＡ）、コンプレックスプログラマブルロジックデバイス（ＣＰＬＤ）、シリコンおよび／または他のハードウェアでの他の実装形態を含む。代替的にまたは追加的に、装置は、概して７１０で識別される処理および制御回路に関連して実施されるソフトウェア、ハードウェア、ファームウェア、固定ロジック回路のうちの任意の１つまたはそれらの組み合わせで実施することができる。装置７００は、任意のタイプのシステムバス、または装置内の種々の構成要素を接合する他のデータおよびコマンド転送システムを含み得る。システムバスは、種々のバス構造およびアーキテクチャのうちの任意の１つまたはそれらの組み合わせ、ならびに制御およびデータラインを含み得る。
【００７３】
また、装置７００は、演算装置によってアクセス可能なデータ記憶デバイスなどのデータ記憶を可能にし、データおよび実行可能命令（例えば、ソフトウェアアプリケーション、プログラム、機能など）の永続的ストレージを提供するコンピュータ可読記憶メモリ７１２を含む。コンピュータ可読記憶メモリ７１２の例としては、揮発性メモリや不揮発性メモリ、固定および取り外し可能媒体デバイス、ならびに装置アクセスを計算するためのデータを管理する任意の適切なメモリデバイスまたは電子データストレージが挙げられる。コンピュータ可読記憶メモリは、種々のメモリデバイス構成におけるランダムアクセスメモリ（ＲＡＭ）、読み出し専用メモリ（ＲＯＭ）、フラッシュメモリ、および他のタイプの記憶媒体の種々の実装を含み得る。また、装置７００は、大容量記憶媒体デバイスを含むことができる。
【００７４】
コンピュータ可読記憶メモリ７１２は、デバイスデータ７０４、他のタイプの情報および／またはデータ、および種々のデバイスアプリケーション７１４（例えば、ソフトウェアアプリケーション）を記憶するためのデータ記憶メカニズムを提供する。例えば、状態モジュール７１６は、メモリデバイスとのソフトウェア命令として維持され、処理システム７０８によって実行され得る。また、デバイスアプリケーションは、制御アプリケーション、ソフトウェアアプリケーション、信号処理制御モジュール、特定のデバイスに固有のコード、および特定デバイス用のハードウェア抽象化レイヤなどを含み得る。ここでの例では、装置７００は、ＲＦＩＤ状態の休止とその復帰の実施形態を実現するコマンドモジュール７１８を含み、図１および図２を参照して説明したＲＦＩＤタグ１００またはＲＦＩＤタグ２１０の少なくとも一部として実施される場合など、ハードウェア構成要素および／またはソフトウェアで実現することが可能である。コマンドモジュール７１８の例は、コマンドモジュール１２０である。
【００７５】
また、装置７００は、ＲＦＩＤタグ１００に実装されたセキュリティモジュール１２２などのセキュリティモジュール７２０を含む。また、装置７００は、例えば、その装置がモバイル装置または演算装置として実装される場合などには、１つまたは複数の電源７２２を含み得る。これらの電源としては、充電および／または電力システムが挙げられ、フレキシブルストリップバッテリ、充電式バッテリ、チャージド・スーパーキャパシタ、および／または任意の他のタイプのアクティブまたはパッシブ電源として実現することができる。
【００７６】
また、装置７００は、オーディオシステム７２６用のオーディオデータを生成する、および／またはディスプレイシステム７２８用のディスプレイデータを生成するオーディオおよび／またはビデオ処理システム７２４を含む。オーディオシステムおよび／またはディスプレイシステムは、ディスプレイデータおよび／または画像データを処理、表示、および／またはその他の方法でレンダリングする装置を含む。ディスプレイデータおよびオーディオ信号は、ＲＦ（無線周波数）リンク、Ｓ−ビデオリンク、ＨＤＭＩ（登録商標）（高品位マルチメディアインタフェース）、コンポジットビデオリンク、コンポーネントビデオリンク、ＤＶＩ（デジタルビデオインタフェース）、アナログオーディオ接続、またはメディアデータポート７３０などの他の類似の通信リンクを介して接続されてもよい。実施例では、オーディオシステムおよび／またはディスプレイシステムは、例示の装置の集積化された構成要素である。あるいは、オーディオシステムおよび／またはディスプレイシステムは、例示の装置に対する外部の周辺構成要素である。
【００７７】
ＲＦＩＤ状態の休止とその復帰の実施形態を、特徴および／または方法に特有の記載で説明したが、添付の特許請求の範囲の主題は、説明した特定の特徴または方法に必ずしも限定されない。むしろ、特定の特徴および方法は、ＲＦＩＤ状態の休止とその復帰の例示的な実施形態として開示され、他の同等の特徴および方法も、添付の特許請求の範囲内に含まれる。さらに、種々の実施形態を説明したが、説明した各実施形態は、独立して、あるいは１つまたは複数の他の説明した実施形態と関連して実現することもできる。
【図１】
0006428855.tif 000002
【図２】
0006428855.tif 000003
【図３】
0006428855.tif 000004
【図４】
0006428855.tif 000005
【図５】
0006428855.tif 000006
【図６】
0006428855.tif 000007
【図７】
0006428855.tif 000008